(57)【要約】【課題】二次電池の性能劣化を軽減することが可能な情報処理端末を提供する。【解決手段】  充電制御部２２は、非接触充電台Ｔから電力を受け付けると、その受け付けた電力を充電式電池２１に蓄電する。実行管理部２６は、充電制御部２２にて充電式電池２１への電力の蓄電が開始されたか否かを監視する。サーバアクセス管理部２８は、電力の蓄電が開始されると、被遠隔操作端末Ｐの内部機能を遠隔操作端末Ｑから実行させる遠隔操作を許可する。【選択図】図１
2013066038.tif 000002
【特許請求の範囲】
【請求項１】
充電可能な二次電池からの電力で駆動する情報処理端末であって、
電力供給源から電力を受け付けると、当該電力を前記二次電池に蓄電する充電制御部と、
前記電力の蓄電が開始されたか否かを監視する監視部と、
前記電力の蓄電が開始されると、前記情報処理端末の内部機能を遠隔操作端末から実行させる遠隔操作を許可する管理部とを有する情報処理端末。
【請求項２】
前記内部機能のうち実行を許可する内部機能である許可機能を示す許可操作情報を記憶する記憶部をさらに有し、
前記管理部は、前記許可機能を実行させる遠隔操作である対象遠隔操作を許可する、請求項１に記載の情報処理端末。
【請求項３】
前記監視部は、前記電力の蓄電が終了したか否かをさらに監視し、
前記管理部は、前記電力の蓄電が終了すると、前記遠隔操作を終了させる遠隔操作終了選択機能を前記許可機能として示す情報を前記許可操作情報として前記記憶部に記憶する、請求項２に記載の情報処理端末。
【請求項４】
データを保持する保持部をさらに有し、
前記監視部は、前記データが更新されたか否かをさらに監視し、
前記管理部は、前記遠隔操作を許可している場合、前記データが更新されると、当該更新されたデータを前記遠隔操作端末に送信する、請求項１ないし３のいずれか１項に記載の情報処理端末。
【請求項５】
前記充電制御部は、前記電力供給源から非接触で前記電力を受け付ける、請求項１ないし４のいずれか１項に記載の情報処理端末。
【請求項６】
請求項１ないし５のいずれか１項に記載の情報処理端末と、
前記情報処理端末の内部機能を実行する遠隔操作を行う遠隔操作端末とを有する遠隔操作システム。
【請求項７】
前記遠隔操作を中継する中継装置をさらに有する、請求項６に記載の遠隔操作システム。
【請求項８】
充電可能な二次電池からの電力で駆動する情報処理端末を制御する制御方法であって、
電力供給源から電力を受け付けると、当該電力を前記二次電池に蓄電し、
前記電力の蓄電が開始されたか否かを監視し、
前記電力の蓄電が開始されると、前記情報処理端末の内部機能を遠隔操作端末から実行させる遠隔操作を許可する、制御方法。
【請求項９】
充電可能な二次電池からの電力で駆動し、電力供給源から電力を受け付けると、当該電力を前記二次電池に蓄電する情報処理端末に、
前記電力の蓄電が開始されたか否かを監視する処理と、
前記電力の蓄電が開始されると、前記情報処理端末の内部機能を遠隔操作端末から実行させる遠隔操作を許可する処理とを実行させるプログラム。
【発明の詳細な説明】
【技術分野】
【０００１】
本発明は、二次電池を備えた情報処理端末に関する。
【背景技術】
【０００２】
携帯電話端末のような通信機能を有する情報処理端末の動力源としては、充電可能な充電式電池である二次電池（蓄電池）が使用されることがある。
【０００３】
二次電池を充電する充電方式としては、近年、ケーブルなどを情報処理端末に繋げずに、電磁誘導や磁気共振現象などを利用して、充電台などから非接触で二次電池を充電する非接触充電方式が注目されている（特許文献１〜３参照）。
【先行技術文献】
【特許文献】
【０００４】
【特許文献１】特開２００８−１５４４４６号公報
【特許文献２】特開２００８−２９３６３１号公報
【特許文献３】特開２００８−３０１５５４号公報
【発明の概要】
【発明が解決しようとする課題】
【０００５】
情報処理端末の二次電池が充電されている間でも、情報処理端末が電子メールを受信したりすると、ユーザは情報処理端末を操作することがある。この場合、ユーザが情報処理端末を操作し易くするために、情報処理端末からケーブルを外したり、情報処理端末を充電台から持ち上げたりして、二次電池の充電を中断させ、情報処理端末の操作が終了した後に、情報処理端末の二次電池を再度充電させることがある。このように二次電池の充電中断と再充電が行われると、充電が行われる充電回数が増加して、二次電池の性能劣化が早くなるという問題が生じる。
【０００６】
本発明は、上述した問題を鑑みたものであり、二次電池の性能劣化を軽減することが可能な情報処理端末、遠隔操作システム、制御方法およびプログラムを提供することを目的とする。
【課題を解決するための手段】
【０００７】
本発明による情報処理端末は、充電可能な充電式電池からの電力で駆動する情報処理端末であって、電力供給源から電力を受け付けると、当該電力を前記充電式電池に蓄電する充電制御部と、前記電力の蓄電が開始されたか否かを監視する監視部と、前記電力の蓄電が開始されると、前記情報処理端末の内部機能を遠隔操作端末から実行させる遠隔操作を許可する管理部と、を有する。
【０００８】
本発明による遠隔操作システムは、前記情報処理端末と、前記情報処理端末の内部機能を実行する遠隔操作を行う遠隔操作端末と、を有する。
【０００９】
本発明による制御方法は、充電可能な充電式電池からの電力で駆動する情報処理端末を制御する制御方法であって、電力供給源から電力を受け付けると、当該電力を前記充電式電池に蓄電し、前記電力の蓄電が開始されたか否かを監視し、前記電力の蓄電が開始されると、前記情報処理端末の内部機能を遠隔操作端末から実行させる遠隔操作を許可する。
【００１０】
本発明によるプログラムは、充電可能な充電式電池からの電力で駆動し、電力供給源から電力を受け付けると、当該電力を前記充電式電池に蓄電する情報処理端末に、前記電力の蓄電が開始されたか否かを監視する処理と、前記電力の蓄電が開始されると、前記情報処理端末の内部機能を遠隔操作端末から実行させる遠隔操作を許可する処理と、を実行させる。
【発明の効果】
【００１１】
本発明によれば、二次電池の性能劣化を軽減することが可能になる。
【図面の簡単な説明】
【００１２】
【図１】本発明の第１の実施形態の遠隔操作システムを示すブロック図である。
【図２】本発明の第１の実施形態の遠隔操作システムの動作を説明するためのシーケンス図である。
【図３】本発明の第４の実施形態の情報処理端末の構成を示すブロック図である。
【発明を実施するための形態】
【００１３】
以下、本発明の実施形態について図面を参照して説明する。なお、以下の説明では、同じ機能を有するものには同じ符号を付け、その説明を省略する場合がある。
【００１４】
図１は、本発明の第１の実施形態の遠隔操作システムを示す図である。図１において、遠隔操作システムは、電力供給源である非接触充電台Ｔと、非接触充電台Ｔから電力を受け付ける情報処理端末である被遠隔操作端末Ｐと、被遠隔操作端末Ｐの内部機能を実行させる遠隔操作を行う遠隔操作端末Ｑと、遠隔操作端末Ｑからの被遠隔操作端末Ｐへの遠隔操作の中継を行う中継サーバＭとを有する。
【００１５】
被遠隔操作端末Ｐ、遠隔操作端末Ｑおよび中継サーバＭは、それぞれ通信可能に接続される。被遠隔操作端末Ｐ、遠隔操作端末Ｑおよび中継サーバＭが行う通信は、特に限定されないが、例えば、公衆通信網を経由した通信や、ＷｉＦｉ（登録商標）などのＬＡＮ通信などが挙げられる。また、被遠隔操作端末Ｐおよび遠隔操作端末Ｑは、例えば、携帯電話、スマートフォン、ゲーム機またはＰＣ（Personal computer）などである。ここでＰＣは、デスクトップ型のＰＣでもよいし、ノート型のＰＣでもよいし、タブレット型のＰＣでもよい。
【００１６】
なお、図１では、基本的に、実線の矢印がデータの流れを示し、破線の矢印が制御情報の流れを示し、点線の矢印が電力の流れを示している。データは、例えば、電子メールやＷｅｂデータのようなコンテンツなどであり、制御情報は、遠隔操作端末Ｑを遠隔操作できるようにするために遠隔操作システムの各装置を制御するための情報である。
【００１７】
非接触充電台Ｔは、非接触制御部１１と、非接触電力送信部１２とを有する。
【００１８】
非接触制御部１１は、被遠隔操作端末Ｐへの電力の供給が可能か否かを判断する。例えば、非接触制御部１１は、無線通信方式を用いて、定期的または連続的に応答要求を送信し、その応答要求に対して被遠隔操作端末Ｐから応答があった場合に、被遠隔操作端末Ｐへの電力の供給が可能であると判断する。
【００１９】
非接触制御部１１にて電力の供給が可能であると判断された場合、非接触電力送信部１２は、電力を非接触で伝送する非接触電力伝送方式を用いて、電力を被遠隔操作端末Ｐに供給する。
【００２０】
被遠隔操作端末Ｐは、充電式電池２１と、充電制御部２２と、ユーザインタフェース部２３と、通信部２４と、データ保持部２５と、実行管理部２６と、ＧＰＳ（Global Positioning System）管理部２７と、サーバアクセス管理部２８と、アクセス管理記憶部２９とを有する。
【００２１】
充電式電池２１は、充電可能な二次電池であり、蓄電された電力を被遠隔操作端末Ｐの各部に供給することで、被遠隔操作端末Ｐを駆動させる。
【００２２】
充電制御部２２は、非接触充電台Ｔから電力を受け付けると、その受け付けた電力を充電式電池２１に蓄電する。また、非接触充電台Ｔの非接触制御部１１が応答要求を送信するような構成の場合、充電制御部２２は、無線通信を用いて、非接触充電台Ｔから応答要求を受信すると、その応答要求に対して応答する。
【００２３】
ユーザインタフェース部２３は、被遠隔操作端末Ｐのユーザとの間で情報のやり取りを行う装置であり、例えば、テンキーやタッチパネルのようなユーザからの入力を受け付ける入力部と、データや制御情報を表示する表示部などを備える。
【００２４】
ユーザインタフェース部２３は、例えば、ユーザから、被遠隔操作端末Ｐに対する遠隔操作を管理するための制御情報であるアクセス管理情報を受け付ける。
【００２５】
アクセス管理情報は、被遠隔操作端末Ｐを特定する識別情報である第１端末ＩＤと、遠隔操作端末Ｑを特定する識別情報である第２端末ＩＤと、中継サーバＭを特定する識別情報であるサーバＩＤとなどを含む。これらの識別情報は、例えば、ＩＰアドレスやＵＲＬなどである。
【００２６】
通信部２４は、遠隔操作端末Ｑおよび中継サーバＭと通信を行い、遠隔操作端末Ｑおよび中継サーバＭとデータや制御情報の送受信を行う。例えば、通信部２４は、遠隔操作端末Ｑから中継サーバＭを経由して、遠隔操作にて被遠隔操作端末Ｐに実行させる内部機能を示す遠隔操作情報を受信する。
【００２７】
また、通信部２４は、不図示のサーバ（例えば、メールサーバやＷｅｂサーバ）との通信を行い、そのサーバから電子メールやＷｅｂ情報などのデータを受信する。
【００２８】
なお、通信部２４は、必要に応じて、データや制御情報の送受信時にそのデータや制御情報の暗号化や復号化を行ってもよい。
【００２９】
データ保持部２５は、種々のデータを保持する。データ保持部２５に保持されるデータは、例えば、通信部２４が受信した電子メールなどである。また、被遠隔操作端末Ｐがカメラや種々のセンサなどを有している場合には、データ保持部２５は、そのカメラやセンサで取得された写真データやセンサデータなどを上記のデータとして保持する。
【００３０】
実行管理部２６は、ユーザインタフェース部２３に対する入力の入力内容に応じて、アプリケーションの実行などの種々の処理を行う。
【００３１】
また、実行管理部２６は、充電式電池２１の充電状態を監視する監視部としても機能する。より具体的には、実行管理部２６は、充電制御部２２にて充電式電池２１への電力の蓄電が開始されたか否か、および、充電制御部２２にて充電式電池２１への電力の蓄電が終了したか否かを監視する。
【００３２】
ＧＰＳ管理部２７は、不図示のＧＰＳ衛星から測位信号を受信し、その測位信号に基づいて、被遠隔操作端末Ｐの現在の位置を測位し、その現在の位置を示す位置情報をサーバアクセス管理部２８に出力する。
【００３３】
サーバアクセス管理部２８は、ユーザインタフェース部２３が受け付けたアクセス管理情報を用いて、遠隔操作端末Ｑから被遠隔操作端末Ｐの内部機能を実行させる遠隔操作を管理する管理部である。なお、内部機能としては、データ保持部２５に保持されているデータを閲覧する情報閲覧機能や、被遠隔操作端末Ｐに対して種々の設定を行う設定機能などが挙げられる。
【００３４】
より具体的には、サーバアクセス管理部２８は、ユーザインタフェース部２３が受け付けたアクセス管理情報をアクセス管理記憶部２９に記憶させる。そして、サーバアクセス管理部２８は、アクセス管理情報内の第１端末ＩＤおよび第２端末ＩＤを含む情報を、被遠隔操作端末Ｑおよび遠隔操作端末Ｐを認証するための認証情報として、アクセス管理情報内のサーバＩＤにて特定される中継サーバＭに送信して登録する登録処理を行い、被遠隔操作端末Ｐに対する遠隔操作を許可する遠隔操作端末Ｑを設定する。
【００３５】
また、登録処理終了後に実行管理部２６にて充電式電池２１への電力の蓄電が開始されたことが検知された場合、サーバアクセス管理部２８は、登録処理で設定した遠隔操作端末Ｑからの遠隔操作を許可する。
【００３６】
本実施形態では、サーバアクセス管理部２８は、被遠隔操作端末ＰをＷｅｂサーバとして動作させるＷｅｂサーバ機能を起動することで、遠隔操作端末Ｑからの遠隔操作を許可する。
【００３７】
なお、サーバアクセス管理部２８は、例えば、ＰＷＳ（Personal Web Server）のようなＷｅｂサーバ機能を実現するためのアプリケーションプログラム（ＡＰ：Application Program）である被制御ＡＰを実行することで、Ｗｅｂサーバ機能を起動してもよい。なお、被制御ＡＰは、例えば、データ保持部２５に記録されているものとする。
【００３８】
遠隔操作端末Ｑからの遠隔操作を許可している場合、通信部２４が遠隔操作情報を受信すると、サーバアクセス管理部２８は、Ｗｅｂサーバ機能を用いて、その遠隔操作情報が示す内部機能を実行し、その実行結果を遠隔操作端末Ｑに送信する。なお、遠隔操作情報は、例えば、被制御ＡＰが提供しているＡＰＩ（Application Program Interface）を用いて、サーバアクセス管理部２８に実行させる内部機能を示している。
【００３９】
また、実行管理部２６にて充電式電池２１への電力の蓄電が終了されたことが検知された場合、サーバアクセス管理部２８は、Ｗｅｂサーバ機能を終了することで、遠隔操作端末Ｑからの遠隔操作を不許可にする。
【００４０】
なお、サーバアクセス管理部２８は、ＧＰＳ管理部２７から位置情報を受け付けると、その位置情報に応じた処理を行ってもよい。
【００４１】
アクセス管理記憶部２９は、上述したように、ユーザインタフェース部２３が受け付けたアクセス管理情報を記憶する記憶部である。なお、データ保持部２５およびアクセス管理記憶部２９のそれぞれは、物理的に同一の記憶装置にて実現されてもよいし、物理的に異なる記憶装置にて実現されてもよい。
【００４２】
遠隔操作端末Ｑは、ユーザインタフェース部３１と、通信部３２と、データ保持部３３と、実行管理部３４と、サーバアクセス管理部３５とを有する。
【００４３】
ユーザインタフェース部３１は、遠隔操作端末Ｑのユーザとの間で情報のやり取りを行う装置であり、例えば、テンキーやタッチパネルのようなユーザからの入力を受け付ける入力部と、データや制御情報を表示する表示部などを備える。
【００４４】
通信部３２は、被遠隔操作端末Ｐおよび中継サーバＭと通信を行い、被遠隔操作端末Ｐおよび中継サーバＭとデータや制御情報の送受信を行う。例えば、通信部３２は、被遠隔操作端末Ｐから中継サーバＭを介して、遠隔操作の実行結果を受信する。
【００４５】
なお、通信部３２は、不図示のサーバとの通信を行い、そのサーバから電子メールやＷｅｂ情報などのデータを受信してもよい。また、通信部３２は、必要に応じて、データや制御情報の送受信時にそのデータや制御情報の暗号化や復号化を行ってもよい。
【００４６】
データ保持部３３は、通信部３２が受信したデータなどの種々のデータを保持する。
【００４７】
実行管理部３４は、ユーザインタフェース部２３に対する入力の入力内容に応じて、アプリケーションの実行などの種々の処理を行う。
【００４８】
サーバアクセス管理部３５は、遠隔操作端末Ｑから被遠隔操作端末Ｐへの遠隔操作を管理する操作側の管理部である。
【００４９】
例えば、サーバアクセス管理部３５は、ユーザインタフェース部３１が受け付けた遠隔操作情報を中継サーバＭを介して被遠隔操作端末Ｐに送信したり、通信部３２が受信した実行結果をユーザインタフェース部２３に表示したりする。
【００５０】
中継サーバＭは、通信部４１と、端末アクセス管理部４２と、端末操作管理記憶部４３とを有する。
【００５１】
通信部４１は、被遠隔操作端末Ｐおよび遠隔操作端末Ｑと通信を行い、遠隔操作端末Ｑから被遠隔操作端末Ｐへの遠隔操作の中継を行う。例えば、通信部４１は、被遠隔操作端末Ｐから認証情報や実行結果を受信し、遠隔操作端末Ｑから遠隔操作情報を受信する。また、通信部４１は、受信した実行結果を遠隔操作端末Ｑに転送し、受信した遠隔操作情報を被遠隔操作端末Ｐに転送する。
【００５２】
端末アクセス管理部４２は、通信部４１が受信した認証情報を端末操作管理記憶部４３に記憶させる。また、端末アクセス管理部４２は、端末操作管理記憶部４３に記憶されている認証情報を用いて、遠隔操作端末Ｑと被遠隔操作端末Ｐとの認証を行う。
【００５３】
端末操作管理記憶部４３は、上述したように、通信部４１が受信した認証情報を記憶する記憶装置である。
【００５４】
次に遠隔操作システムの動作を説明する。
【００５５】
図２は、遠隔操作システムの動作の一例を説明するためのシーケンス図である。
【００５６】
先ず、遠隔操作システムは、以下のステップＳ２０１〜２０３で説明するような登録処理を行う。
【００５７】
登録処理では、先ず、ユーザは、Ｗｅｂサーバ機能を実現するためのアプリケーションプログラムである被制御ＡＰを被遠隔操作端末Ｐにインストールする（ステップＳ２０１）。これにより、被制御ＡＰがデータ保持部２５に記録される。
【００５８】
その後、ユーザインタフェース部２３は、ユーザからアクセス管理情報を受け付けると、そのアクセス管理情報を、実行管理部２６を介してサーバアクセス管理部２８に送信する。サーバアクセス管理部２８は、アクセス管理情報を受信すると、そのアクセス管理情報をアクセス管理記憶部２９に記憶させる。そして、サーバアクセス管理部２８は、アクセス管理情報内の第１端末ＩＤおよび第２端末ＩＤを含む認証情報を生成し、その認証情報を、アクセス管理情報内のサーバＩＤにて特定される中継サーバＭに通信部２４を介して送信する（ステップＳ２０２）。
【００５９】
中継サーバＭの通信部４１は、認証情報を受信すると、その認証情報を端末アクセス管理部４２に送信する。端末アクセス管理部４２は、認証情報を受信すると、その認証情報を端末操作管理記憶部４３に記憶する（ステップＳ２０３）。これにより登録処理が終了する。
【００６０】
上記の登録処理が終了した後で、ユーザが被遠隔操作端末Ｐを非接触充電台Ｔに置くと、以下のステップＳ２０４〜Ｓ２１５で説明するような、被遠隔操作端末Ｐを遠隔操作する遠隔操作処理が実行される。
【００６１】
遠隔操作処理では、先ず、被遠隔操作端末Ｐの充電制御部２２が、非接触充電台Ｔの非接触制御部１１から応答要求を受信し、その応答要求に対する応答を非接触制御部１１に送信する。非接触制御部１１は、応答を受信すると、非接触電力送信部１２を駆動して、非接触電力送信部１２から充電制御部２２に電力を非接触で供給させる。充電制御部２２は、その供給された電力を受け付けると、その電力を充電式電池２１に蓄電する（ステップＳ２０４）。
【００６２】
充電式電池２１への蓄電が開始されると、実行管理部２６は、その蓄電の開始を検知し、その旨をサーバアクセス管理部２８に通知する。サーバアクセス管理部２８は、その旨を受け付けると、データ保持部２５から被制御ＡＰを読み取り、その読み取った被制御ＡＰを実行して、Ｗｅｂサーバ機能を起動することで、遠隔操作を許可する（ステップＳ２０５）。
【００６３】
Ｗｅｂサーバ機能を起動すると、サーバアクセス管理部２８は、遠隔操作を許可した旨の操作許可通知としてＷｅｂサーバ機能を起動した旨の起動通知を生成する。続いて、サーバアクセス管理部２８は、アクセス管理記憶部２９に記憶されているアクセス管理情報を確認し、そのアクセス管理情報内の第１端末ＩＤを起動通知に加える。そして、サーバアクセス管理部２８は、第１端末ＩＤを加えた起動通知を、アクセス管理情報内のサーバＩＤにて特定される中継サーバＭに対して通信部２４を介して送信する（ステップＳ２０６）。
【００６４】
中継サーバＭの通信部４１は、起動通知を受信すると、その起動通知を端末アクセス管理部４２に送信する。端末アクセス管理部４２は、起動通知を受信すると、端末操作管理記憶部４３内の認証情報内の第１端末ＩＤと、起動通知内の第１端末ＩＤとが同じか否かを判断する。各第１端末ＩＤが同じであると、端末アクセス管理部４２は、認証情報に遠隔操作が許可された旨を登録する（ステップＳ２０７）。なお、各第１端末ＩＤが異なっていると、端末アクセス管理部４２は、遠隔操作が許可された旨を登録せずに処理を終了する。
【００６５】
また、ユーザは、被遠隔操作端末Ｐを非接触充電台Ｔに置いた後で被遠隔操作端末Ｐを操作する場合、遠隔操作端末Ｑのユーザインタフェース部３１に、被遠隔操作端末Ｐに接続する旨の接続要求を入力する。なお、接続要求は、第１端末ＩＤ、第２端末ＩＤおよびサーバＩＤを含む。
【００６６】
ユーザインタフェース部３１は、接続要求を受け付けると、その接続要求を、実行管理部３４を介してサーバアクセス管理部３５に送信する。サーバアクセス管理部３５は、接続要求を受信すると、接続要求内のサーバＩＤにて特定される中継サーバＭに、その接続要求を送信する（ステップＳ２０８）。
【００６７】
中継サーバＭの通信部４１は、接続要求を受信すると、その接続要求を端末アクセス管理部４２に送信する。端末アクセス管理部４２は、接続要求を受信すると、その接続要求と、端末操作管理記憶部４３に記憶されている認証情報とに基づいて、被遠隔操作端末Ｐおよび遠隔操作端末Ｑの認証を行い、その認証結果を通信部４１を介して遠隔操作端末Ｑに送信する（ステップＳ２０９）。
【００６８】
なお、端末アクセス管理部４２は、より具体的には、端末操作管理記憶部４３に記憶されている認証情報に、接続要求内の第１端末ＩＤおよび第２端末ＩＤが含まれ、かつ、認証情報に遠隔操作が許可された旨が登録されているか否かを判断することで、被遠隔操作端末Ｐおよび遠隔操作端末Ｑの認証を行い、その判断結果を認証結果として送信する。
【００６９】
このとき、端末アクセス管理部４２は、接続要求内の第１端末ＩＤおよび第２端末ＩＤが含まれ、かつ、認証情報に遠隔操作が許可された旨が登録されている場合、被遠隔操作端末Ｐが遠隔操作端末Ｑからの遠隔操作を許可しているので、認証が成功したと判断し、それ以外の場合には認証が失敗したと判断する。
【００７０】
遠隔操作端末Ｑの通信部３２は、認証結果を受信すると、その認証結果をサーバアクセス管理部３５に送信する。サーバアクセス管理部３５は、認証結果を受信すると、その認証結果を、実行管理部３４を介してユーザインタフェース部３１に表示する（ステップＳ２１０）。これにより、ユーザは認証結果を確認することができる。
【００７１】
そして、認証が成功した場合、ユーザは、被遠隔操作端末Ｐに実行させる内部機能を示す遠隔操作情報をユーザインタフェース部３１に入力する。ユーザインタフェース部３１は、遠隔操作情報を受け付けると、その遠隔操作情報を、実行管理部３４を介してサーバアクセス管理部３５に送信する。サーバアクセス管理部３５は、遠隔操作情報を受信すると、その遠隔操作情報を通信部３２および中継サーバＭを介して被遠隔操作端末Ｐに送信する（ステップＳ２１１）。
【００７２】
被遠隔操作端末Ｐの通信部２４は、遠隔操作情報を受信すると、その遠隔操作情報をサーバアクセス管理部２８に送信する。サーバアクセス管理部２８は、遠隔操作情報を受信すると、その遠隔操作情報が示す内部機能を実行し、その実行結果を、通信部２４および中継サーバＭを介して遠隔操作端末Ｑに送信する（ステップＳ２１２）。
【００７３】
遠隔操作端末Ｑの通信部３２は、実行結果を受信すると、その実行結果をサーバアクセス管理部３５に送信する。サーバアクセス管理部３５は、実行結果を受信すると、その処理結果を、実行管理部３４を介してユーザインタフェース部３１に表示する。これにより、ユーザが実行結果を確認することができる（ステップＳ２１３）。
【００７４】
上記のようなステップＳ２１１〜Ｓ２１３の処理が、ユーザが遠隔操作情報をユーザインタフェース部３１に入力するたびに行われる。
【００７５】
そして、非接触充電台Ｔから被遠隔操作端末Ｐへの電力の供給が停止されるか、または、充電式電池２１が満充電されるかして、被遠隔操作端末Ｐの充電制御部２２が充電式電池２１への電力の蓄電を終了すると、実行管理部２６は、その蓄電の終了を検知し、その旨をサーバアクセス管理部２８に通知する（ステップＳ２１４）。サーバアクセス管理部２８は、その旨を受信すると、中継サーバＭを経由した遠隔操作端末Ｑとの接続を切断し、その後、被制御ＡＰを終了することで、Ｗｅｂサーバ機能を終了して、遠隔操作端末Ｑからの遠隔操作を不許可にする（ステップＳ２１５）。
【００７６】
以上説明したように本実施形態によれば、被遠隔操作端末Ｐの充電式電池２１の充電が開始されると、被遠隔操作端末Ｐに対する遠隔操作が許可されるので、充電中に被遠隔操作端末Ｐを直接操作しなくても、遠隔操作端末Ｑから被遠隔操作端末Ｐを遠隔操作することが可能になる。このため、充電中の被遠隔操作端末Ｐを操作するために、被遠隔操作端末Ｐを持ち上げるなどして充電を一旦停止する必要がなくなるので、充電式電池２１充電が行われる充電回数の増加を抑制することが可能になり、充電式電池２１の性能劣化を軽減することが可能になる。
【００７７】
また、ユーザは、被遠隔操作端末Ｐの充電中断を気にすることなく被遠隔操作端末Ｐを操作することが可能になるので、ユーザビリティを向上させることが可能になる。
【００７８】
また、非接触充電台Ｔに複数の情報処理端末が置かれ、非接触充電台Ｔに置かれた順番に情報処理端末に対して電力を供給するような構成の場合に、被遠隔操作端末Ｐが非接触充電台Ｔから持ち上げられて、他の情報処理端末の充電が開始され、被遠隔操作端末Ｐを充電する順番が先送りにされるなどの問題も解決することができる。
【００７９】
次に本発明の第２の実施形態について説明する。
【００８０】
本実施形態の遠隔操作システムの構成は、図１に示したものと同じであるが、以下の機能がさらに備わっている。
【００８１】
被遠隔操作端末Ｐの実行管理部２６は、データ保持部２５に保持されているデータが更新されたか否かをさらに監視する。例えば、通信部２４が不図示のサーバから電子メールを受信すると、その受信された電子メールがデータ保持部２５に保持される。この場合、データ保持部２５に新たにデータが保持されるので、データ保持部２５に保持されているデータが更新されたこととなり、実行管理部２６がそのデータの更新を検知する。
【００８２】
実行管理部２６にてデータ保持部２５に保持されているデータが更新されたことが検知された場合、サーバアクセス管理部２８は、アクセス管理記憶部２９に記憶されているアクセス管理情報を用いて、更新されたデータである更新データを遠隔操作端末Ｑに送信する。
【００８３】
なお、サーバアクセス管理部２８は、中継サーバＭを経由して更新データを遠隔操作端末Ｑに送信してもよいし、中継サーバＭを経由せずに直接更新データを遠隔操作端末Ｑに送信してもよい。また、サーバアクセス管理部２８は、Ｗｅｂサーバ機能を実行している間に、データが更新されると、更新データを送信してもよいし、Ｗｅｂサーバ機能が実行されていないときでも、データが更新されると、更新データを送信してもよい。
【００８４】
本実施形態によれば、被遠隔操作端末Ｐ内のデータが更新されると、その更新された更新データが遠隔操作端末Ｑに通知されるので、充電中の被遠隔操作端末Ｐを操作する必要性を低下させることが可能になり、充電が行われる充電回数の増加をさらに抑制することが可能になる。また、遠隔操作を行う頻度を低下することも可能になるので、ユーザビリティを向上させることも可能になる。
【００８５】
次に本発明の第３の実施形態について説明する。
【００８６】
なお、本実施形態の遠隔操作システムの構成は、図１に示したものと同じであるが、以下の機能がさらに備わっている。
【００８７】
アクセス管理記憶部２９に記憶されているアクセス管理情報には、遠隔操作にて実行可能な内部機能のうち、実行を許可する内部機能である許可機能を示す許可操作情報がさらに含まれる。
【００８８】
なお、許可操作情報は、例えば、ユーザインタフェース部２３がユーザから受け付けたアクセス管理情報に含まれている。また、サーバアクセス管理部２８は、被制御ＡＰなどによって予め定められている許可操作情報を、登録処理時にユーザインタフェース部２３がユーザから受け付けたアクセス管理情報に加え、その許可操作情報を加えたアクセス管理情報をアクセス管理記憶部２９に記憶してもよい。
【００８９】
この場合、通信部２４が遠隔操作情報を受信すると、サーバアクセス管理部２８は、遠隔操作情報が示す内部機能が、アクセス管理記憶部２９に記憶されているアクセス管理情報内の許可操作情報が示す許可機能に含まれるか否かを判断する。
【００９０】
サーバアクセス管理部２８は、その内部機能が許可機能に含まれている場合、その内部機能を実行し、その内部機能が許可機能に含まれていない場合、その内部機能を実行せずに遠隔操作情報を破棄する。
【００９１】
また、実行管理部２６にて充電式電池２１への電力の蓄電が終了されたことが検知された場合、サーバアクセス管理部２８は、遠隔操作を終了させる遠隔操作終了選択機能を許可機能として示す情報を、許可操作情報としてアクセス管理記憶部２９に記憶されているアクセス管理情報に加える。
【００９２】
本実施形態によれば、遠隔操作で実行される内部機能が許可機能に制限されるので、重要な設定情報の削除する機能などを誤って実行させてしまうことを抑制することができる。
【００９３】
また、本実施形態では、電力の蓄電が終了されると、遠隔操作を不許可にする遠隔操作終了選択機能が許可機能に加えられるので、電力の蓄電が終了する前に誤って遠隔操作を不許可にしてしまうことを抑制することができる。
【００９４】
次に本発明の第４の実施形態について説明する。
【００９５】
図３は、本実施形態の情報処理端末の構成を示すブロック図である。図３において、情報処理端末１００は、二次電池１０１と、充電制御部１０２と、監視部１０３と、管理部１０４とを有する。
【００９６】
二次電池１０１は、充電可能な二次電池である。
【００９７】
充電制御部１０２は、電力供給源２００から電力が供給されると、その電力を二次電池１０１に蓄電する。なお、電力供給源２００から充電制御部１０２に電力を伝送させる電力伝送方式は、特に限定されない。例えば、電力伝送方式は、有線にて電力を伝送させる接触電力伝送方式でもよいし、非接触で電力を伝送する非接触電力伝送方式でもよい。
【００９８】
監視部１０３は、第１の実施形態の実行管理部２６に対応する。
【００９９】
監視部１０３にて電力の二次電池１０１への蓄電が開始されたことが検知されると、管理部１０４は、遠隔操作端末３００からの遠隔操作を許可する。ここで遠隔操作端末３００から情報処理端末１００の遠隔操作は、第１の実施形態で説明したように中継サーバＭを経由して行われてもよいし、中継サーバＭを経由せずに直接行われてもよい。
【０１００】
なお、監視部１０３は図１に示した実行管理部２６に対応し、管理部１０４は図１に示したサーバアクセス管理部２８に対応する。
【０１０１】
本実施形態では、情報処理端末１００の二次電池１０１の充電が開始されると、情報処理端末１００に対する遠隔操作が許可されるので、二次電池１０１の充電が行われる充電回数の増加を抑制することが可能になり、二次電池１０１の性能劣化を軽減することが可能になる。
【０１０２】
以上説明した各実施形態において、図示した構成は単なる一例であって、本発明はその構成に限定されるものではない。
【０１０３】
例えば、遠隔操作システムの各装置の機能は、その機能を実現するためのプログラムを、コンピュータにて読み取り可能な記録媒体に記録して、この記録媒体に記録されたプログラムをコンピュータに読み込ませ実行させることで、実現されてもよい。
【符号の説明】
【０１０４】
１１      非接触制御部
１２      非接触電力送信部
２１      充電式電池
２２、１０２  充電制御部
２３、３１  ユーザインタフェース部
２４、３２、４１  通信部
２５、３３  データ保持部
２６、３４  実行管理部
２７      ＧＰＳ管理部
２８、３５  サーバアクセス管理部
２９      アクセス管理記憶部
４２      端末アクセス管理部
４３      端末操作管理記憶部
１００    情報処理端末
１０１    二次電池
１０３    監視部
１０４    管理部
２００    電力供給源
Ｍ        中継サーバ
Ｐ        被遠隔操作端末
Ｑ、３００  遠隔操作端末
Ｔ        非接触充電台
【図１】
2013066038.tif 000003
【図２】
2013066038.tif 000004
【図３】
2013066038.tif 000005